(57)【特許請求の範囲】
【請求項１】
呼出スイッチ（１ａ、２ａ）、スピーカ（１ｂ、２ｂ）およびマイク（１ｃ、２ｃ）を有する玄関子機（ＳＱ１、ＳＱ２）を、子機ハイブリッド回路（３、４）から親機送受器（５）を有する親機（ＭＱ１）に、前記子機ハイブリッド回路から増設親機ハイブリッド回路（６）を経由して増設親機送受器（１７）を有する増設親機（ＢＱ１）にそれぞれ接続し、前記親機内では４線で相互の回路が接続され、
前記子機ハイブリッド回路および前記増設親機ハイブリッド回路間には、前記玄関子機の前記呼出スイッチの操作による呼出検出信号（Ｓ１、Ｓ２）および前記増設親機の増設親機送受器の増設親機オフフック検出信号（Ｓ４）によって前記玄関子機と前記増設親機をそれぞれ接続する一対のスイッチ（ＳＷ１、ＳＷ２）を介在させ、
前記子機ハイブリッド回路および前記親機送受器間には、前記呼出検出信号および前記親機の親機送受器の親機オフフック検出信号（Ｓ３）によって前記玄関子機と前記親機をそれぞれ接続し、待受状態で増設親機呼出信号（Ｓ５）又は親機呼出信号（Ｓ６）によって前記親機と前記増設親機をそれぞれ接続する一対のスイッチ（ＳＷ３、ＳＷ４）を介在させたことにより前記玄関子機、前記親機、前記増設親機相互のハウリング特性を改善したことを特徴とするインターホン装置。
【発明の詳細な説明】
【０００１】
【発明の属する技術分野】
この発明はインターホン装置に関し、特に親機内では４線で相互の回路が接続され、これにより玄関子機、親機、増設親機相互のハウリング特性を改善し、アンプ等を挿入してもシンギング等を惹起しないインターホン装置に係わる。
【０００２】
【従来の技術】
従来より、図２に示すように呼出釦５１ａ、５２ａ、スピーカ５１ｂ、５２ｂ、マイク５１ｃ、５２ｃを設けた玄関子機ＳＱ３、ＳＱ４と、玄関子機ＳＱ３、ＳＱ４に接続された親機ＭＱ２と、親機ＭＱ２に接続された増設親機ＢＱ２からなるインターホン装置が知られている。
【０００３】
尚、玄関子機ＳＱ３にはカメラ５１ｄが実装されている。
【０００４】
玄関子機ＳＱ３は親機ＭＱ２の端子Ｔ１１及び端子Ｔ１２と、玄関子機ＳＱ４は親機ＭＱ２の端子Ｔ１３及び端子Ｔ１４とそれぞれ接続されている。
【０００５】
親機ＭＱ２の端子Ｔ１５と端子Ｔ１６はテレビモニタ７２、送話器７１ａと受話器７１ｂを有する送受器７１が実装された増設親機ＢＱ２と接続されている。
【０００６】
親機ＭＱ２は図２に示すように玄関子機インターフェース５３、カメラ無・カメラ付玄関子機通話路切換スイッチ５４、２線４線変換回路５５、５６、５７、通話路切換スイッチ５８、５９、平衡・不平衡変換回路６０、バンドパスフィルタ６２、６３、不平衡・平衡変換回路６４、映像信号用アンプ６６、送話器６１ａと受話器６１ｂを設けた送受器６１及び親機ＣＰＵ６５で構成される。
【０００７】
玄関子機インターフェース５３の玄関子機ＳＱ３側はバンドパスフィルタ６２を介して端子Ｔ１１及び端子Ｔ１２と、玄関子機ＳＱ４側は端子Ｔ１３及び端子Ｔ１４と接続されている。
【０００８】
玄関子機インターフェース５３の玄関子機ＳＱ３の本線側はカメラ無・カメラ付玄関子機通話路切換スイッチ５４の常開接点５４ｂと接続され、玄関子機ＳＱ４の本線側はカメラ無・カメラ付玄関子機通話路切換スイッチ５４の常閉接点５４ａと接続されている。
【０００９】
玄関子機インターフェース５３の基準電位点線は２線４線変換回路５５の２線側の他方と接続され、カメラ無・カメラ付玄関子機通話路切換スイッチ５４の切換接点５４ｃは２線４線変換回路５５の２線側の一方と接続されている。
【００１０】
２線４線変換回路５５の４線側は２線４線変換回路５６の４線側と接続され、２線４線変換回路５６の２線側の本線は通話路切換スイッチ５８を介してバンドパスフィルタ６３の一方と、２線４線変換回路５６の２線側の基準電位点線はバンドパスフィルタ６３の他方とそれぞれ接続されている。
【００１１】
送受器６１の送話器６１ａと受話器６１ｂは２線４線変換回路５７の４線側とそれぞれ接続され、２線４線変換回路５７の２線側の本線は通話路切換スイッチ５９を介してバンドパスフィルタ６３の内部側の一方と、２線４線変換回路５７の２線側の基準電位点線はバンドパスフィルタ６３の内部側の他方とそれぞれ接続され、バンドパスフィルタ６３の増設親機側は端子Ｔ１５、端子Ｔ１６と接続されている。
【００１２】
平衡・不平衡変換回路６０の映像信号出力側は映像信号用アンプ６６を介して不平衡・平衡変換回路６４の映像信号入力側と接続され、映像信号出力側は端子Ｔ１５、端子Ｔ１６と接続されている。
【００１３】
玄関子機インターフェース５３の呼出検出信号Ｓ１１とＳ１２側はＣＰＵ６５の制御入力側と接続され、ＣＰＵ６５の制御出力側はカメラ無・カメラ付玄関子機通話路切換スイッチ５４、通話路切換スイッチ５８及び５９のそれぞれの制御入力側と接続されている。
【００１４】
このようなインターホン装置において、玄関子機ＳＱ３の呼出釦５１ａを押下すると、映像信号を除去させるバンドパスフィルタ６２を介して玄関子機インターフェース５３の制御出力側から親機ＣＰＵ６５へ呼出検出信号Ｓ１１が送出される。
【００１５】
親機ＣＰＵ６５は呼出検出信号Ｓ１１が入力されると玄関子機ＳＱ３から呼出がかかったことを知り、カメラ無・カメラ付玄関子機通話路切換スイッチ５４、通話路切換スイッチ５８を制御し、カメラ無・カメラ付玄関子機通話路切換スイッチ５４の常開接点５４ｂと切換接点５４ｃを接続し、通話路切換スイッチ５８を閉成する。
【００１６】
これにより、玄関子機ＳＱ３のマイク５１ｃから送出された上り音声信号は閉成された常開接点５４ｂ、切換接点５４ｃを介して２線４線変換回路５５の２線側へ送出される。
【００１７】
２線４線変換回路５５の２線側へ送出された上り音声信号は２線４線変換回路５６の上り音声信号の４線側から２線側（本線及び基準電位点線）へ送出される。
【００１８】
２線４線変換回路５６の２線側へ送出された音声は閉成された通話路切換スイッチ５８、バンドパスフィルタ６３を介して増設親機ＢＱ２へ送出される。
【００１９】
増設親機ＢＱ２の送受器７１をオフフックすると上り音声信号は送受器７１の受話器７１ｂで聞くことができる。
【００２０】
送受器７１の送話器７１ａで生成された下り音声信号はバンドパスフィルタ６３から２線４線変換回路５６の２線側へ送出され、２線４線変換回路５６の４線側の下り音声信号側から２線４線変換回路５５の４線側へ送出される。
【００２１】
２線４線変換回路５５の４線側へ送出された下り音声信号は２線４線変換回路５５で２線化され、閉成されたカメラ無・カメラ付玄関子機通話路切換スイッチ５４の切換接点５４ｃと常開接点５４ｂを介して玄関子機インターフェース５３へ送出されバンドパスフィルタ６２を介して端子Ｔ１１、Ｔ１２へ送出される。
【００２２】
端子Ｔ１１、Ｔ１２へ送出された下り音声信号は玄関子機ＳＱ３のスピーカ５１ｂへ送出される。
【００２３】
尚、カメラ５１ｄで生成された映像信号は平衡・不平衡変換回路６０、映像信号用アンプ６６、不平衡・平衡変換回路６４の経路で増設親機ＢＱ２へ送出され増設親機ＢＱ２のテレビモニタ７２でモニタされる。
【００２４】
玄関子機ＳＱ３の呼出釦５１ａが押下されたとき、親機ＭＱ２の送受器６１をオフフックすると親機ＣＰＵ６５が検出し、通話路切換スイッチ５９を閉成する。
【００２５】
玄関子機ＳＱ３と親機ＭＱ２の間の通話は上り音声信号が閉成された通話路切換スイッチ５８、５９を介して２線４線変換回路５７の２線側へ送出され２線４線変換回路５７で４線化され４線の上り音声信号側から送受器６１の受話器６１ｂへ送出される。
【００２６】
送話器６１ａで生成された下り音声信号は２線４線変換回路５７で２線化され閉成された通話路切換スイッチ５９、５８を介して２線４線変換回路５６の２線側へ送出され、２線４線変換回路５６の４線側の下り音声信号側から２線４線変換回路５５の４線側へ送出され、２線４線変換回路５５で２線化され、閉成されたカメラ無・カメラ付玄関子機通話路切換スイッチ５４の切換接点５４ｃと常開接点５４ｂを介して玄関子機インターフェース５３へ送出され、バンドパスフィルタ６２を介して端子Ｔ１１、Ｔ１２へ送出される。
【００２７】
端子Ｔ１１、Ｔ１２へ送出された下り音声信号は玄関子機ＳＱ３のスピーカ５１ｂへ送出される。
【００２８】
玄関子機ＳＱ４の呼出釦５２ａを押下すると、玄関子機インターフェース５３の制御出力側から親機ＣＰＵ６５へ呼出検出信号Ｓ１２が送出される。
【００２９】
親機ＣＰＵ６５は呼出検出信号Ｓ１２が入力されると玄関子機ＳＱ４から呼出がかかったことを知り、通話路切換スイッチ５８を制御し通話路切換スイッチ５８を閉成する。これ以降の動作は玄関子機ＳＱ３の呼出釦５２ａを押下した時と同様である。
【００３０】
【発明が解決しようとする課題】
従来のインターホン装置では、２線４線変換回路５５、５６、５７等に設けられた変換用ネットワークの調整が難しく、場合によってはハウリング特性が悪くなり、特に上り音声信号側と下り音声信号側にアンプ等を挿入する際、シンギング等の通話障害を惹起するという難点があった。
【００３１】
本発明は、このような難点を解消するためになされたもので、玄関子機、親機、増設親機相互間におけるハウリング特性が改善されたインターホン装置を提供することを目的としている。
【００３２】
【課題を解決するための手段】
この目的を達成するため、本発明のインターホン装置は、呼出スイッチ、スピーカおよびマイクを有する玄関子機を、子機ハイブリッド回路から親機送受器を有する親機に、子機ハイブリッド回路から増設親機ハイブリッド回路を経由して増設親機送受器を有する増設親機にそれぞれ接続し、親機内では４線で相互の回路が接続され、子機ハイブリッド回路および増設親機ハイブリッド回路間には、玄関子機の呼出スイッチの操作による呼出検出信号および増設親機の増設親機送受器の増設親機オフフック検出信号によって玄関子機と増設親機をそれぞれ接続する一対のスイッチを介在させ、子機ハイブリッド回路および親機送受器間には、呼出検出信号および親機の親機送受器の親機オフフック検出信号によって玄関子機と親機をそれぞれ接続し、待受状態で増設親機呼出信号又は親機呼出信号によって親機と増設親機をそれぞれ接続する一対のスイッチを介在させたことにより玄関子機、親機、増設親機相互のハウリング特性を改善したものである。
【００３３】
このようなテレビインターホン装置において、玄関子機呼出スイッチを押下すると、子機ハイブリッド回路から呼出検出信号が送出され、子機ハイブリッド回路と増設親機ハイブリッド回路の間に設けられた一対の切替スイッチを増設親機オフフック検出信号に応じて連動させ、子機ハイブリッド回路と増設親機ハイブリッド回路を接続する。
【００３４】
この場合、親機オフフック検出信号が検出された場合は、親機送受器に対応した一対の切替スイッチを経由して子機ハイブリッド回路と親機送受器を接続する。
【００３５】
【発明の実施の形態】
以下、本発明のインターホン装置の一実施例を図１にしたがって詳述する。
【００３６】
図１に示すように呼出スイッチ１ａ、２ａ、スピーカ１ｂ、２ｂおよびマイク１ｃ、２ｃを有する玄関子機ＳＱ１、ＳＱ２を、子機ハイブリッド回路３、４から親機送受器５を有する親機ＭＱ１に、子機ハイブリッド回路３、４から増設親機ハイブリッド回路６を経由して増設親機送受器１７を有する増設親機ＢＱ１にそれぞれ接続し、子機ハイブリッド回路３、４および増設親機ハイブリッド回路６間には、玄関子機ＳＱ１、ＳＱ２の呼出スイッチ１ａ、２ａの操作による呼出検出信号Ｓ１、Ｓ２および増設親機ＢＱ１の増設親機送受器１７の増設親機オフフック検出信号Ｓ４によってそれぞれ連接する一対の切替スイッチＳＷ１、ＳＷ２を介在させ、子機ハイブリッド回路３、４および親機送受器５間には、呼出検出信号Ｓ１、Ｓ２および親機ＭＱ１の親機送受器５の親機オフフック検出信号Ｓ３によってそれぞれ連接する一対の切替スイッチＳＷ３、ＳＷ４を介在させた構成である。
【００３７】
図１に示すように玄関子機ＳＱ１、ＳＱ２には、呼出釦１ａ、２ａ、スピーカ１ｂ、２ｂ、マイク１ｃ、２ｃがそれぞれ実装されている。
【００３８】
尚、玄関子機ＳＱ１にはカメラ１ｄが実装されている。
【００３９】
玄関子機ＳＱ１は親機ＭＱ１の端子Ｔ１及び端子Ｔ２と、玄関子機ＳＱ２は親機ＭＱ１の端子Ｔ３及び端子Ｔ４とそれぞれ接続されている。
【００４０】
親機ＭＱ１の端子Ｔ５と端子Ｔ６はテレビモニタ１６、送話器１７ａと受話器１７ｂを有する増設親機送受器１７、親機呼出釦ＢＴ２が実装された増設親機ＢＱ１と接続されている。
【００４１】
親機ＭＱ１は図１に示すように子機ハイブリッド回路３、４、増設親機用切換スイッチＳＷ１、ＳＷ２、親機用切換スイッチＳＷ３、ＳＷ４、送話器５ａと受話器５ｂを設けた親機送受器５、増設親機ハイブリッド回路６、不平衡・平衡変換回路７、下り音声信号側増設親機用アンプ８ａ、上り音声信号側増設親機用アンプ８ｂ、下り音声信号側親機用アンプ９ａ、上り音声信号側親機用アンプ９ｂ、バンドパスフィルタ１１、１２、映像信号用平衡・不平衡変換回路１３、映像信号用不平衡・平衡変換回路１４、映像信号用アンプ１５及びフックスイッチＨＳ１、増設親機呼出釦ＢＴ１が接続された親機ＣＰＵ１０で構成され、子機ハイブリッド回路３の玄関子機ＳＱ１側はバンドパスフィルタ１１を介して端子Ｔ１、端子Ｔ２及び子機ハイブリッド回路４の玄関子機ＳＱ２側は端子Ｔ３、端子Ｔ４とそれぞれ接続されている。
【００４２】
増設親機用切換スイッチＳＷ１のピンＰ２は、子機ハイブリッド回路３の下り音声信号用本線側及び親機用切換スイッチＳＷ３のピンＰ２とそれぞれ接続されている。増設親機用切換スイッチＳＷ１のピンＰ３は親機用切換スイッチＳＷ３のピンＰ３及び子機ハイブリッド回路４の下り音声信号用本線側とそれぞれ接続されている。増設親機用切換スイッチＳＷ１のピンＰ５は下り音声信号側増設親機用アンプ８ａの出力側及び親機用切換スイッチＳＷ４のピンＰ１と接続され、下り音声信号側増設親機用アンプ８ａの入力側は増設親機ハイブリッド回路６の一方の４線側と接続されている。
【００４３】
増設親機用切換スイッチＳＷ２のピンＰ２は子機ハイブリッド回路３の上り音声信号用本線側及び親機用切換スイッチＳＷ４のピンＰ２とそれぞれ接続されている。
【００４４】
増設親機用切換スイッチＳＷ２のピンＰ３は親機用切換スイッチＳＷ４のピンＰ３及び子機ハイブリッド回路４の上り音声信号用本線側とそれぞれ接続され、増設親機用切換スイッチＳＷ２のピンＰ５は上り音声信号側増設親機用アンプ８ｂの入力側及び親機用切換スイッチＳＷ３のピンＰ１と接続されている。
【００４５】
上り音声信号側増設親機用アンプ８ｂの出力側は増設親機ハイブリッド回路６の他方の４線側と接続されている。
【００４６】
親機用切換スイッチＳＷ３のピンＰ５は下り音声信号側親機用アンプ９ａの出力側と接続され、音声信号側親機用アンプ９ａの入力側は親機送受器５の送話器５ａと接続されている。親機用切換スイッチＳＷ４のピンＰ５は上り音声信号側親機用アンプ９ｂの入力側と接続され、音声信号側親機用アンプ９ｂの出力側は親機送受器５の受話器５ｂと接続されている。
【００４７】
子機ハイブリッド回路３、４から増設親機ハイブリッド回路６及び親機送受器５の送話器５ａと受話器５ｂに至る基準電位点線側はそれぞれの該当する入、出力側と接続され、下り音声信号側増設親機用アンプ８ａ、上り音声信号側増設親機用アンプ８ｂ、下り音声信号側親機用アンプ９ａ、上り音声信号側親機用アンプ９ｂの基準電位点側とも接続されている。
【００４８】
呼出検出信号Ｓ１を出力する子機ハイブリッド回路３、呼出検出信号Ｓ２を出力する子機ハイブリッド回路４及び増設親機ハイブリッド回路６のそれぞれの制御出力側は親機ＣＰＵ１０の制御入力側と接続され、親機ＣＰＵ１０の制御出力側は、増設親機用切換スイッチＳＷ１、ＳＷ２、親機用切換スイッチＳＷ３、ＳＷ４のそれぞれの制御入力側と接続されている。
【００４９】
また、増設親機ハイブリッド回路６の２線側は、不平衡・平衡変換回路７、バンドパスフィルタ１２を介して端子Ｔ５、端子Ｔ６に接続されている。
【００５０】
さらに親機ＭＱ１の端子Ｔ１、端子Ｔ２は映像信号用平衡・不平衡変換回路１３、映像信号用アンプ１５及び映像信号用不平衡・平衡変換回路１４を介して端子Ｔ５、端子Ｔ６に接続されている。
【００５１】
このようなインターホン装置において、玄関子機ＳＱ１の呼出釦１ａを押下すると、バンドパスフィルタ１１を介して子機ハイブリッド回路３の制御出力側から親機ＣＰＵ１０へ呼出検出信号Ｓ１が送出される。
【００５２】
親機ＣＰＵ１０は呼出検出信号Ｓ１が入力されると玄関子機ＳＱ１から呼出がかかったことを知る。
【００５３】
この状態で増設親機ＢＱ１の増設親機送受器１７をオフフックすると、バンドパスフィルタ１２、不平衡・平衡変換回路７を介して増設親機ハイブリッド回路６が動作し、増設親機ハイブリッド回路６から親機ＣＰＵ１０へ増設オフフック検出信号Ｓ４が送出される。
【００５４】
親機ＣＰＵ１０へ増設オフフック検出信号Ｓ４が送出されると、親機ＣＰＵ１０の制御により、増設親機用切換スイッチＳＷ１のピンＰ２とピンＰ５及び増設親機用切換スイッチＳＷ２のピンＰ２とピンＰ５がそれぞれ接続される。
【００５５】
これにより玄関子機ＳＱ１のマイク１ｃで生成された上り音声信号は親機ＭＱ１の端子Ｔ１（端子Ｔ１は本線側、端子Ｔ２は基準電位点線側とし、以下本線側についてのみ説明する）、バンドパスフィルタ１１、子機ハイブリッド回路３の上り音声信号用本線側、増設親機用切換スイッチＳＷ２のピンＰ２とピンＰ５、上り音声信号側増設親機用アンプ８ｂ、増設親機ハイブリッド回路６の他方の２線側、不平衡・平衡変換回路７、バンドパスフィルタ１２を経由して端子Ｔ５、端子Ｔ６へ送出される。
【００５６】
端子Ｔ５、端子Ｔ６へ送出された上り音声信号は増設親機ＢＱ１に設けられた増設親機送受器１７の受話器１７ｂで受話される。
【００５７】
増設親機送受器１７の送話器１７ａで生成された下り音声信号は端子Ｔ５、端子Ｔ６へ送出され、バンドパスフィルタ１２、不平衡・平衡変換回路７、増設親機ハイブリッド回路６の一方の４線側、下り音声信号側増設親機用アンプ８ａ、増設親機用切換スイッチＳＷ１のピンＰ５、ピンＰ２、子機ハイブリッド回路３の下り音声信号用本線側及びバンドパスフィルタ１１を経由して端子Ｔ１へ送出される。
【００５８】
尚、玄関子機ＳＱ１のカメラ１ｄで撮像された映像信号（ＦＭ変調信号）は映像信号用平衡・不平衡変換回路１３、映像信号用アンプ１５、映像信号用不平衡・平衡変換回路１４を介して親機ＭＱ１の端子Ｔ５、端子Ｔ６に送出され、端子Ｔ５、端子Ｔ６より増設親機ＢＱ１に送出され増設親機ＢＱ１に設けられたテレビモニタ１６でモニタされる。
【００５９】
玄関子機ＳＱ１から呼出がかかった状態で親機ＭＱ１の送受器５をオフフックすると親機ＣＰＵ１０に接続されたフックスイッチＨＳ１を閉成し親機ＣＰＵ１０へオフフック検出信号Ｓ３が入力される。親機ＣＰＵ１０へオフフック検出信号Ｓ３が入力されると、親機ＣＰＵ１０の制御により、親機用切換スイッチＳＷ３のピンＰ２とピンＰ５及び親機用切換スイッチＳＷ４のピンＰ２とピンＰ５がそれぞれ接続される。
【００６０】
これにより玄関子機ＳＱ１のマイク１ｃで生成された上り音声信号は親機ＭＱ１の端子Ｔ１、バンドパスフィルタ１１、子機ハイブリッド回路３の上り音声信号用本線側、親機用切換スイッチＳＷ４のピンＰ２とピンＰ５、上り音声信号側親機用アンプ９ｂ、親機送受器５の受話器５ｂへ送出される。
【００６１】
親機送受器５の送話器５ａで生成された下り音声信号は、下り音声信号側親機用アンプ９ａを介して親機用切換スイッチＳＷ３のピンＰ５、ピンＰ２及び子機ハイブリッド回路３の下り音声信号用本線側、バンドパスフィルタ１１を経由して端子Ｔ１へ送出される。
【００６２】
端子Ｔ１へ送出された下り音声信号は玄関子機ＳＱ１のスピーカ１ｂから送出される。
【００６３】
玄関子機ＳＱ２の呼出釦２ａを押下すると、子機ハイブリッド回路４の制御出力側から親機ＣＰＵ１０へ呼出検出信号Ｓ２が送出される。
【００６４】
親機ＣＰＵ１０は呼出検出信号Ｓ２が入力されると玄関子機ＳＱ２から呼出がかかったことを知る。
【００６５】
この状態で増設親機ＢＱ１の増設親機送受器１７をオフフックすると、バンドパスフィルタ１２、不平衡・平衡変換回路７を介して増設親機ハイブリッド回路６が動作し、増設親機ハイブリッド回路６から親機ＣＰＵ１０へ増設オフフック検出信号Ｓ４が送出される。
【００６６】
親機ＣＰＵ１０へ増設オフフック検出信号Ｓ４が送出されると、親機ＣＰＵ１０の制御により、増設親機用切換スイッチＳＷ１のピンＰ３とピンＰ５及び増設親機用切換スイッチＳＷ２のピンＰ３とピンＰ５がそれぞれ接続され、玄関子機ＳＱ２と増設親機ＢＱ１との間で通話できる。
【００６７】
玄関子機ＳＱ２から呼出しがかかった状態で親機ＭＱ１の親機送受器５をオフフックすると同様にして玄関子機ＳＱ２と親機ＭＱ１との間で通話できる。
【００６８】
待受状態で親機ＭＱ１の親機送受器５をオフフックし増設親機呼出釦ＢＴ１を押下すると、増設親機呼出信号Ｓ５が親機ＣＰＵ１０へ入力される。増設親機呼出信号Ｓ５が親機ＣＰＵ１０へ入力されると親機用切換スイッチＳＷ３、ＳＷ４のピンＰ１とピンＰ５がそれぞれ接続され、親機送受器５の送話器５ａで生成された音声信号は下り音声信号側親機用アンプ９ａ、親機用切換スイッチＳＷ３のピンＰ５、ピンＰ１、上り音声信号側増設親機用アンプ８ｂ、増設親機ハイブリッド回路６の他方の４線側、不平衡・平衡変換回路７及びバンドパスフィルタ１２を経由して端子Ｔ５、端子Ｔ６へ送出される。端子Ｔ５、端子Ｔ６へ送出された音声信号は、増設親機ＢＱ１の拡声スピーカ（図示せず）から送出され、拡声呼出しができる。
【００６９】
増設親機ＢＱ１の増設親機送受器１７をオフフックすれば、親機ＭＱ１の送話器５ａで生成され端子Ｔ５、端子Ｔ６へ送出された音声信号は増設親機ＢＱ１に設けられた増設親機送受器１７の受話器１７ｂで受話される。
【００７０】
増設親機送受器１７の送話器１７ａで生成された音声信号は端子Ｔ５、端子Ｔ６へ送出され不平衡・平衡変換回路７、増設親機ハイブリット回路６の一方の４線側、下り音声信号側増設親機用アンプ８ａ、親機用切換スイッチＳＷ４のピンＰ１、ピンＰ５、上り音声信号側親機用アンプ９ｂを経由して親機送受器５の受話器５ｂで受話される。
【００７１】
待受状態で増設親機ＢＱ１の増設親機送受器１７をオフフックし親機呼出釦ＢＴ２を押下すると、端子Ｔ５、端子Ｔ６、バンドパスフィルタ１２、不平衡・平衡変換回路７、増設親機ハイブリット回路６を介して親機呼出信号Ｓ６が親機ＣＰＵ１０へ入力される。親機呼出信号Ｓ６が親機ＣＰＵ１０へ入力されると、増設親機呼出釦ＢＴ１が押下されたときと同様に親機用切換スイッチＳＷ３、ＳＷ４のピンＰ１とピンＰ５がそれぞれ接続され、親機ＭＱ１の送受器５をオフフックすれば親機ＭＱ１の増設親機呼出釦ＢＴ１が押下されたときと同様に通話が可能となる。
【００７２】
【発明の効果】
以上の説明から明らかなように、本発明のインターホン装置によれば、親機内では４線で相互の回路が接続され、これにより玄関子機、親機、増設親機相互のハウリング特性を改善し、アンプ等を挿入してもシンギング等を惹起しない。
【図面の簡単な説明】
【図１】本発明によるインターホン装置の一実施例を示すブロック図。
【図２】従来のインターホン装置のブロック図。
【符号の説明】
１ａ、２ａ・・・・・・呼出スイッチ
１ｂ、２ｂ・・・・・・スピーカ
１ｃ、２ｃ・・・・・・マイク
３、４・・・・・・子機ハイブリッド回路
５・・・・・・親機送受器
６・・・・・・増設親機ハイブリッド回路
１７・・・・・・増設親機送受器
ＳＷ１、ＳＷ２・・・・・・増設親機用切換スイッチ（スイッチ）
ＳＷ３、ＳＷ４・・・・・・親機用切換スイッチ（スイッチ）
ＳＱ１、ＳＱ２・・・・・・玄関子機
ＭＱ１・・・・・・親機
ＢＱ１・・・・・・増設親機
Ｓ１、Ｓ２・・・・・・呼出検出信号
Ｓ３・・・・・・親機オフフック検出信号
Ｓ４・・・・・・増設親機オフフック検出信号
Ｓ５・・・・・・増設親機呼出信号
Ｓ６・・・・・・親機呼出信号
【図１】
0003569096.tif 000002
【図２】
0003569096.tif 000003